(57)【特許請求の範囲】
【請求項１】
二次電池の充電路に流れる充電電流に従って消灯又は点灯することでユーザに異常を報知する報知手段を備える充電装置に接続された保護回路であって、
前記充電路上に直列接続されたスイッチング手段と、
前記二次電池の電圧を検出する電圧検出手段と、
前記電圧検出手段により前記二次電池の電圧が過充電保護電圧まで上昇したことが検出された時、前記スイッチング手段をオフし、前記電圧検出手段により前記二次電池の電圧が前記過充電保護電圧よりも低い充電再開電圧まで低下したことが検出された時、前記スイッチング手段をオンする制御手段とを備え、
前記制御手段は、
前記スイッチング手段をオフした時に計時動作を開始し、前記二次電池の満充電を検出するためのタイムアウト時間が経過するまで計時動作を行う計時手段と、
前記タイムアウト時間が経過するまでの間に、前記二次電池の電圧が前記充電再開電圧まで低下した場合、前記タイムアウト時間が経過した時に前記スイッチング手段をオンする充電制御手段とを備えることを特徴とする保護回路。
【請求項２】
前記電圧検出手段は、前記二次電池の電圧と前記過充電保護電圧とを比較する第１のコンパレータと、前記二次電池の電圧と前記充電再開電圧とを比較する第２のコンパレータとを備えることを特徴とする請求項１記載の保護回路。
【請求項３】
前記第１のコンパレータは、プラス端子が前記二次電池の正極に接続され、マイナス端子に前記過充電保護電圧が印加され、出力端子が前記計時手段に接続され、
前記第２のコンパレータは、プラス端子が前記二次電池の正極に接続され、マイナス端子に前記充電再開電圧が印加され、出力端子が前記充電制御手段に接続され、
前記計時手段は、前記第１のコンパレータからローレベルの信号を受けたとき、計時動作を開始すると共に、前記充電制御手段に計時動作開始信号を通知し、計時動作を開始してから前記タイムアウト時間が経過した時に前記充電制御手段に計時動作終了信号を通知し、
前記充電制御手段は、前記計時手段から前記計時動作開始信号を受けたとき前記スイッチング手段をオフし、前記計時手段から前記計時動作終了信号を受けたとき前記スイッチング手段をオンすることを特徴とする請求項２記載の保護回路。
【請求項４】
無接点充電装置からの電気エネルギーを前記二次電池に伝達する伝達手段を更に備えることを特徴とする請求項１〜３のいずれかに記載の保護回路。
【発明の詳細な説明】
【技術分野】
【０００１】
本発明は、二次電池を保護する保護回路に関する。
【背景技術】
【０００２】
図４は、従来の保護回路が適用された充電システムの回路図を示している。この充電システムは、保護回路１００、充電装置２００、及び二次電池３００を備えている。保護回路１００は、コンパレータ１０１〜１０３、論理回路１０４、ＦＥＴ１０５，１０６、抵抗１０７、及び基準電圧源１０８〜１１０を備えている。なお、保護回路１００と二次電池３００とで電池パックが構成されている。
【０００３】
コンパレータ１０１は二次電池３００の電池電圧Ｖａと過充電保護電圧Ｖｒｅｆ１（＝４．３Ｖ）とを比較し、二次電池３００が過充電されているか否かを検出する。コンパレータ１０２は電池電圧Ｖａと過放電保護電圧Ｖｒｅｆ２とを比較し、二次電池３００が過放電されているか否かを検出する。コンパレータ１０３は、過電流保護電圧Ｖｒｅｆ３を用いて、過大な放電電流（過電流）が流れているか否かを検出する。
【０００４】
論理回路１０４は、コンパレータ１０１により過充電が検出されたとき、ＦＥＴ１０６をオフし、二次電池３００を過充電から保護する。また、論理回路１０４は、コンパレータ１０２により過放電が検出されたと、ＦＥＴ１０５をオフし、二次電池３００を過放電から保護する。更に、論理回路１０４は、コンパレータ１０３により、過電流が検出されたとき、ＦＥＴ１０５をオフし、二次電池３００を過電流から保護する。
【０００５】
充電装置２００は、コイル２０７、トランジスタ２０９等を備えるＤＣ／ＤＣコンバータである。充電制御部２０５は、コンパレータ２０１による、接続端子１１１，１１２間の電圧（充電電圧Ｖｂ）と基準電圧Ｖｒｅｆ２１との比較結果に従って、充電電圧Ｖｂが基準電圧Ｖｒｅｆ２１となるように定電圧制御を行う。
【０００６】
また、充電制御部２０５は、コンパレータ２０２による、基準電圧Ｖｒｅｆ２２と抵抗２１０での充電電流による電圧降下Ｖｃとの比較結果に従って、充電電流が一定の値となるように、トランジスタ２０９をオン・オフさせて定電流制御を行う。なお、充電制御部２０５は、充電電圧Ｖｂが基準電圧Ｖｒｅｆ２１に到達するまで定電流制御を行い、二次電池３００が基準電圧Ｖｒｅｆ２１に到達した以降は定電圧制御を行う。
【０００７】
図５は、図４に示す充電システムのタイミングチャートを示し、（ａ）は電池電圧Ｖａを示し、（ｂ）は充電電流を示している。充電制御部２０５は、電池電圧Ｖａが基準電圧Ｖｒｅｆ２１（＝４．２Ｖ）に到達するまでの期間、定電流制御を行っているため、（ｂ）に示すように充電電流が一定の値を維持していることが分かる。一方、充電制御部２０５は、電池電圧Ｖａが基準電圧Ｖｒｅｆ２１に到達してからは、定電圧制御を行うため、（ａ）に示すように、電池電圧Ｖａが一定の値を維持していることが分かる。
【０００８】
図６は、基準電圧源２０３，２０４が不安定であるような粗悪な充電装置２００、或いは故障した充電装置２００が適用された充電システムのタイミングチャートを示し、（ａ）は電池電圧Ｖａを示し、（ｂ）は充電電流を示している。粗悪な充電装置２００、或いは故障した充電装置２００を用いて二次電池３００を充電した場合、充電装置２００による定電圧制御がうまく機能しないため、二次電池３００は満充電電圧である４．２Ｖを超えて充電されてしまう。そして、電池電圧Ｖａが過充電保護電圧Ｖｒｅｆ１（＝４．３Ｖ）に到達すると、ＦＥＴ１０６がオフされ、（ｂ）に示すように充電電流が０とされ、二次電池３００の充電が停止され、（ａ）に示すように電池電圧Ｖａが低下していく。なお、二次電池を過充電、過放電から保護する技術として特許文献１が知られている。
【特許文献１】特開平１１−２６２２７０号公報
【発明の開示】
【発明が解決しようとする課題】
【０００９】
しかしながら、従来の保護回路では、充電装置２００の故障、或いは粗悪品であることをユーザに報知する手段を備えていないため、この充電装置２００が継続して使用されてしまうという問題がある。そして、このような充電装置２００が継続して使用されると、保護回路の破損を促進させ、この破損により、保護回路の過充電保護機能が機能しなくなり、二次電池３００を発熱させる虞がある。そして、この発熱によって、ユーザはようやく充電装置２００の故障、或いは粗悪品であることを認識することができるが、これではユーザの安全を確保することができない。
【００１０】
本発明の目的は、充電装置の故障等を速やかに報知し、ユーザの安全を確保することができる保護回路を提供することである。
【課題を解決するための手段】
【００１１】
本発明による保護回路は、二次電池の充電路に流れる充電電流に従って消灯又は点灯することでユーザに異常を報知する報知手段を備える充電装置に接続された保護回路であって、前記充電路上に直列接続されたスイッチング手段と、前記二次電池の電圧を検出する電圧検出手段と、前記電圧検出手段により前記二次電池の電圧が過充電保護電圧まで上昇したことが検出された時、前記スイッチング手段をオフし、前記電圧検出手段により前記二次電池の電圧が前記過充電保護電圧よりも低い充電再開電圧まで低下したことが検出された時、前記スイッチング手段をオンする制御手段とを備え、前記制御手段は、前記スイッチング手段をオフした時に計時動作を開始し、前記二次電池の満充電を検出するためのタイムアウト時間が経過するまで計時動作を行う計時手段と、前記タイムアウト時間が経過するまでの間に、前記二次電池の電圧が前記充電再開電圧まで低下した場合、前記タイムアウト時間が経過した時に前記スイッチング手段をオンする充電制御手段とを備えることを特徴とする（請求項１）。
【００１３】
また、上記構成において、前記電圧検出手段は、前記二次電池の電圧と前記過充電保護電圧とを比較する第１のコンパレータと、前記二次電池の電圧と前記充電再開電圧とを比較する第２のコンパレータとを備えることが好ましい（請求項２）。
【００１４】
また、上記構成において、前記第１のコンパレータは、プラス端子が前記二次電池の正極に接続され、マイナス端子に前記過充電保護電圧が印加され、出力端子が前記計時手段に接続され、前記第２のコンパレータは、プラス端子が前記二次電池の正極に接続され、マイナス端子に前記充電再開電圧が印加され、出力端子が前記充電制御手段に接続され、前記計時手段は、前記第１のコンパレータからローレベルの信号を受けたとき、計時動作を開始すると共に、前記充電制御手段に計時動作開始信号を通知し、計時動作を開始してから前記タイムアウト時間が経過した時に前記充電制御手段に計時動作終了信号を通知し、前記充電制御手段は、前記計時手段から前記計時動作開始信号を受けたとき前記スイッチング手段をオフし、前記計時手段から前記計時動作終了信号を受けたとき前記スイッチング手段をオンすることが好ましい（請求項３）。
【００１５】
また、上記構成において、無接点充電装置からの電気エネルギーを前記二次電池に伝達する伝達手段を更に備えることが好ましい（請求項４）。
【発明の効果】
【００１６】
請求項１記載の発明によれば、定電圧制御がうまく機能しないような充電装置を用いて二次電池を充電したために、二次電池の電圧が過充電保護電圧を超えた場合であっても、制御手段によりスイッチング手段がオフされるため、充電が停止され、二次電池は過充電から保護される。そして、二次電池の電池電圧が充電再開電圧まで低下すると、スイッチング手段が再びオンされ、充電が再開される。その後、電池電圧が過充電保護電圧まで上昇すると、スイッチング手段は再びオフされ、二次電池は過充電から保護される。これにより、充電電流が断続的に流れるため、充電装置が備える充電点灯ランプを点滅させることができる。その結果、保護回路が破損して二次電池が発熱する以前にユーザに対して充電装置の異常を報知することができ、充電装置の異常を速やかに報知することができ、ユーザの安全を確保することができる。
【００１７】
請求項２記載の発明によれば、二次電池の満充電を検出するためのタイムアウト時間を設け、このタイムアウト時間内に、二次電池の電圧が充電再開電圧まで低下した場合、二次電池は満充電状態にないと判定してスイッチング手段がオンされるため、満充電状態となるまで、スイッチング手段が断続的にオン・オフされ、過充電保護電圧以下の電圧を維持させて、二次電池を充電することができる。これにより保護回路の破損を防止することができる。
【００１８】
請求項３記載の発明によれば、二次電池の電圧が過充電保護電圧まで上昇したか或いは二次電池の電圧が充電再開電圧まで低下したかを精度よく検出することができる。
【００１９】
請求項４記載の発明によれば、計時手段は、第１のコンパレータから二次電池の電圧が過充電保護電圧に到達したことを示すローレベルの信号を受けたとき、充電制御手段に計時動作開始信号を通知し、この信号を受けた充電制御手段はスイッチング手段をオンするため、二次電池の電圧が過充電保護電圧に到達したとき、速やかにスイッチング手段をオンすることができる。
【００２０】
また、第２のコンパレータは二次電池の電圧が充電再開電圧まで低下したとき、そのことを示すローレベルの信号を充電制御手段に出力し、一方、計時手段は計時動作が終了したとき、計時動作終了信号を充電制御手段に出力するため、タイムアウト時間が経過するまでに二次電池の電圧が充電再開電圧まで低下したか否かを正確に検出することができる。
【００２１】
請求項５記載の発明によれば、二次電池を無接点式の充電装置により充電させることができる。
【発明を実施するための最良の形態】
【００２２】
（実施の形態１）
図１は、本発明の実施の形態１による保護回路が適用された充電システムを示す回路図である。図１に示す充電システムは、保護回路１、充電装置２、及び二次電池３を備えている。なお、保護回路１及び充電装置２により電池パックが構成されている。二次電池３は、リチウムイオン二次電池、リチウムポリマー二次電池、ニッケル水素二次電池、或いはニッケルカドミウム二次電池等の充電可能な二次電池が採用されている。
【００２３】
保護回路１は、コンパレータＡ１〜Ａ５、基準電圧源Ｅ１〜Ｅ４、トランジスタＱ１，Ｑ２、抵抗Ｒ１、制御部１０、及び接続端子Ｔ１，Ｔ２を備えている。コンパレータＡ１は、−端子が二次電池３の正極に接続され、＋端子が基準電圧源Ｅ１の正極に接続されている。コンパレータＡ２は、−端子が基準電圧源Ｅ２の正極に接続され、＋端子が二次電池３の正極に接続されている。コンパレータＡ３は、−端子が基準電圧源Ｅ３の正極に接続され、＋端子が二次電池３の正極に接続されている。コンパレータＡ４は、−端子がコンパレータＡ５の＋端子に接続され、＋端子が基準電圧源Ｅ４の正極に接続されている。
【００２４】
基準電圧源Ｅ１〜Ｅ４は、それぞれ負極が二次電池３の負極に接続されている。二次電池３の負極はトランジスタＱ１のソースに接続されている。トランジスタＱ１，Ｑ２はドレイン同士が接続されている。トランジスタＱ２のソースは接続端子Ｔ２に接続されている。抵抗Ｒ１は一端がトランジスタＱ２のソースと接続端子Ｔ２とに接続され、他端がコンパレータＡ４の−端子とコンパレータＡ５の＋端子とに接続されている。
【００２５】
コンパレータＡ１は、二次電池３の電池電圧Ｖａが所定の過充電保護電圧Ｒｅｆ１を超えた場合、タイマー１１にローレベルの信号を出力し、電池電圧Ｖａが過充電保護電圧Ｒｅｆ１以下の場合、タイマー１１にハイレベルの信号を出力する。本実施の形態では、過充電保護電圧として、Ｒｅｆ１＝４．３Ｖが採用されている。
【００２６】
コンパレータＡ２は、電池電圧Ｖａが所定の充電再開電圧Ｒｅｆ２（＜Ｒｅｆ１）以下になった場合、ローレベルの信号を充電制御部１３に出力し、電池電圧Ｖａが充電再開電圧Ｒｅｆ２を超えた場合、ハイレベルの信号を充電制御部１３に出力する。本実施の形態では、充電再開電圧として、Ｒｅｆ２＝４．２Ｖが採用されている。
【００２７】
トランジスタＱ１，Ｑ２はｎチャネル電界効果型トランジスタであり、トランジスタＱ１は過放電及び過電流保護用のトランジスタであり、トランジスタＱ２は過充電保護用のトランジスタである。
【００２８】
コンパレータＡ３は、電池電圧Ｖａが所定の過放電保護電圧Ｒｅｆ３（＜Ｒｅｆ２）以下になった場合、放電制御部１２にローレベルの信号を出力し、電池電圧Ｖａが過放電保護電圧Ｒｅｆ３を超えた場合、制御部１０にハイレベルの信号を出力する。コンパレータＡ４は、接続端子Ｔ１、Ｔ２が短絡される、或いは低抵抗が接続される等して二次電池３に過電流が流れたことを検出し、放電制御部１２に通知する。コンパレータＡ５は、電流方向（充電又は放電）を検出し、制御部１０に通知する。
【００２９】
接続端子Ｔ１，Ｔ２は、充電装置２又は携帯電話、ＰＤＡ、電動工具、ノートパソコン等の負荷装置を接続するための端子である。
【００３０】
制御部１０は、タイマー１１、放電制御部１２、及び充電制御部１３を備えている。タイマー１１は、コンパレータＡ１から電池電圧Ｖａが過充電保護電圧Ｒｅｆ１を超えていることを示すローレベルの信号を受けた時、計時動作を開始し、計時動作の開始を示す計時開始信号を充電制御部１３に出力する。また、タイマー１１は、計時動作を開始してから、所定のタイムアウト時間になったとき、計時動作を終了し、計時動作の終了を通知する計時動作終了信号を充電制御部１３に出力する。
【００３１】
なお、タイムアウト時間は、二次電池が満充電になったか否かを検出するために予め設定された時間であり、例えば１０ｍｓである。
【００３２】
充電制御部１３は、タイマー１１による計時動作開始信号を受けてから、計時動作終了信号を受けるまでの間に、コンパレータＡ２から電池電圧Ｖａが充電再開電圧Ｒｅｆ２以下になったことを示すローレベルの信号を受けたとき、二次電池３が満充電にないと判定し、トランジスタＱ２にハイレベルの信号を出力し、トランジスタＱ２をオンさせ、充電を再開させる。一方、充電制御部１３は、タイマー１１による計時動作開始信号を受けてから、計時動作終了信号を受けるまでの間に、コンパレータＡ２から電池電圧Ｖａが充電再開電圧Ｒｅｆ２以下になったことを示すローレベルの信号を受けたとき、二次電池３が満充電であると判定し、トランジスタＱ２を継続してオフさせ、充電を停止する。
【００３３】
放電制御部１２は、コンパレータＡ３からローレベルの信号を受けたとき、二次電池３を過放電から保護するために、トランジスタＱ１にローレベルの信号を出力し、トランジスタＱ１をオフさせる。また、放電制御部１２は、コンパレータＡ４から過電流検出の通知を受けたとき、トランジスタＱ１にローレベルの信号を出力し、トランジスタＱ１をオフさせる。これら以外の場合は、トランジスタＱ１にハイレベルの信号を出力し、トランジスタＱ１をオンさせる。
【００３４】
本実施の形態では、コンパレータＡ１、基準電圧源Ｅ１、コンパレータＡ２、及び基準電圧源Ｅ２が電圧検出手段の一例に相当し、制御部１０が制御手段の一例に相当し、トランジスタＱ２がスイッチング手段の一例に相当し、タイマー１１が計時手段の一例に相当する。
【００３５】
次に、充電装置２について説明する。充電装置２は、ＤＣ／ＤＣコンバータであり、充電制御部２１、直流電源２２、コンパレータＡ２１，Ａ２２、基準電圧源Ｅ２１，Ｅ２２、コイルＬ１、コンデンサＣ２１、ダイオードＤ２１、及びトランジスタＱ２１を備えている。
【００３６】
コンパレータＡ２１は、接続端子Ｔ１，Ｔ２間の充電電圧Ｖｂと所定の基準電圧Ｒｅｆ２１（＝４．２Ｖ）とを比較し、充電電圧Ｖｂが基準電圧Ｒｅｆ２１を超える場合、ローレベルの信号を充電制御部２１に出力し、充電電圧Ｖｂが基準電圧Ｒｅｆ２１以下の場合、ハイレベルの信号を充電制御部２１に出力する。
【００３７】
コンパレータＡ２２は、充電電流による抵抗Ｒ２の電圧降下Ｖｃを所定の基準電圧Ｒｅｆ２２と比較し、電圧降下Ｖｃが基準電圧Ｒｅｆ２２を超える場合、ローレベルの信号を充電制御部２１に出力し、電圧降下Ｖｃが基準電圧Ｒｅｆ２２以下の場合、ハイレベルの信号を充電制御部２１に出力する。また、充電装置２は、充電電流が流れている場合に点灯し、充電電流が流れていない場合に消灯することでユーザに充電中であるか否かを報知する発光ダイオードＬＥＤ１を備えている。
【００３８】
充電制御部２１は、充電電圧Ｖｂが基準電圧Ｒｅｆ２１に到達するまでの間、コンパレータＡ２２による基準電圧Ｒｅｆ２２と抵抗Ｒ２での充電電流による電圧降下Ｖｃとの比較結果に従って、充電電流が一定の値を維持するようなＰＷＭ信号を生成し、定電流制御を行う。一方、充電制御部１３は、充電電圧Ｖｂが基準電圧Ｒｅｆ２１に到達した後は、充電電圧Ｖｂが基準電圧Ｒｅｆ２１を維持するようなＰＷＭ信号を生成し、定電圧制御を行う。更に、充電制御部１３は、充電電流が流れている場合、充電中であるとしてＬＥＤＬ１を点灯させると共に、充電電流が流れていない場合、充電中でないとしてＬＥＤ１を消灯させる。
【００３９】
トランジスタＱ２１は、Ｐチャネル電界効果型トランジスタから構成されるコンバータドライブトランジスタである。ダイオードＤ２１は還流ダイオードであり、コンデンサＣ２１は平滑コンデンサである。
【００４０】
次に、保護回路１の動作について説明する。図２は保護回路１のタイミングチャートを示し、（ａ）は電池電圧Ｖａを示し、（ｂ）は充電電流を示し、（ｃ）は発光ダイオードＬＥＤ１の点灯状態を示している。まず、接続端子Ｔ１，Ｔ２に充電装置２が接続され、（ｂ）に示すように、充電装置２から充電電流が流れ、充電が開始されると、（ａ）に示すように電池電圧Ｖａは滑らかなカーブを描いて上昇し、（ｃ）に示すように発光ダイオードＬＥＤ１が点灯する。
【００４１】
コンパレータＡ１は、電池電圧Ｖａが過充電保護電圧Ｒｅｆ１（＝４．３Ｖ）に到達したとき（時刻Ｔ１）、タイマー１１にローレベルの信号を出力し、この信号を受けたタイマー１１は計時動作を開始すると共に、充電制御部１３に計時動作開始信号を出力する。この信号を受けた充電制御部１３はローレベルの信号を出力し、トランジスタＱ２をオフさせる。これにより、二次電池３への充電が停止され、（ａ）に示すように電池電圧Ｖａが低下し、（ｂ）に示すように充電電流が０となり、（ｃ）に示すように発光ダイオードＬＥＤ１が消灯する。
【００４２】
次いで、充電制御部１３は、タイマー１１から計時動作終了信号を受けた時刻Ｔ３よりも以前の時刻Ｔ２において、コンパレータＡ２からローレベルの信号を受けているため、時刻Ｔ３において、トランジスタＱ２にハイレベルの信号を出力する。すなわち、充電制御部１３は、電池電圧Ｖａが過充電保護電圧Ｒｅｆ１まで上昇してから、タイムアウト時間が経過するまでの間に、電池電圧Ｖａが充電再開電圧Ｒｅｆ２以下となった場合、タイムアウト時間経過時にトランジスタＱ２をオンさせ、充電を再開させる。これにより、（ｃ）に示すように発光ダイオードＬＥＤ１が再度点灯する。
【００４３】
電池電圧Ｖａが過充電保護電圧Ｒｅｆ１に到達すると（時刻Ｔ４）、トランジスタＱ２はオフするため、（ａ）に示すように電池電圧Ｖａは低下していく。そして、タイムアウト時間経過時を示す時刻Ｔ６以前の時刻Ｔ５において、電池電圧Ｖａは充電再開電圧Ｒｅｆ２まで低下しているため、充電制御部１３は時刻Ｔ６において、トランジスタＱ２をオンさせ、充電を再開させる。これにより（ｃ）に示すように発光ダイオードＬＥＤ１が再び点灯する。
【００４４】
以後、時刻Ｔ７まで、タイムアウト時間が経過する間に電池電圧Ｖａが充電再開電圧Ｒｅｆ２まで低下しているため、トランジスタＱ２が断続的にオン・オフされ、（ｃ）に示すように、発光ダイオードＬＥＤ１が点滅する。これにより、ユーザに対して充電装置の異常を報知することができる。
【００４５】
時刻Ｔ７において、トランジスタＱ２がオフされ、時刻Ｔ９において、電池電圧Ｖａが充電再開電圧まで低下しているが、時刻Ｔ９は、タイムアウト時間経過時である時刻Ｔ８以降の時刻であるため、充電制御部１３は、二次電池３は満充電になっていると判定し、トランジスタＱ２を継続してオフさせ、充電を終了する。この場合、（ｃ）に示すように、電池電圧Ｖａが４．２Ｖを維持しており、二次電池３が満充電になっていることが分かる。
【００４６】
以上説明したように、実施の形態１による保護回路１によれば、定電圧制御がうまく機能しないような充電装置２を用いて二次電池３を充電したために、電池電圧Ｖａが過充電保護電圧Ｒｅｆ１を超えた場合であっても、充電制御部１３によりトランジスタＱ２がオフされるため、充電が停止され、二次電池は過充電から保護される。そして、タイムアウト時間が経過するまでの間に電池電圧Ｖａが充電再開電圧Ｒｅｆ２まで低下すると、トランジスタＱ２が再びオンされ、二次電池３の充電が再開される。その後、電池電圧Ｖａが過充電保護電圧まで上昇すると、トランジスタＱ２は再びオフされ、二次電池３は過充電から保護される。これにより、充電電流が断続的に流れる結果、充電装置が備える発光ダイオードＬＥＤ１を点滅させることができる。その結果、保護回路１が破損して二次電池が発熱する以前にユーザに対して充電装置２の異常を報知することができ、充電装置２の異常を速やかに報知することができ、ユーザの安全を確保することができる。
【００４７】
（実施の形態２）
次に、実施の形態２による保護回路１ａについて説明する。図３は、保護回路１ａが適用された充電システムを示す回路図である。なお、本実施の形態において、実施の形態１と同一のものは同一の符号を付し説明を省略する。図３に示すように、この充電システムは、保護回路１ａ、充電装置２ａ、及び二次電池３を備えている。
【００４８】
充電装置２ａは、無接点式の充電装置であり、コイルＬ２ａ、トランジスタＱ２１ａ、発光ダイオードＬＥＤ１、直流電源２２ａ、充電制御部２１ａ、及び磁性体Ｍを備えている。なお、充電装置２ａは、充電装置２ａの筐体に設けられた電池パックを載置するための載置部を備え、磁性体Ｍ及びコイルＬ２ａはこの載置部の内部に配設されている。
【００４９】
保護回路１ａは、実施の形態１の保護回路１に対して更に、コイルＬ１ａ、ダイオードＤ２ａ、及びコンデンサＣ１ａを備えている。なお、保護回路１ａ及び二次電池３からなる電池パックの筐体は、充電装置２ａの載置部と接触する接触部を備え、コイルＬ１ａはこの接触部の内部に配設されている。
【００５０】
従って、電池パックの接触部が充電装置２ａの載置部と接触すると、コイルＬ２ａとコイルＬ１ａとは磁性体Ｍを介して磁気結合される。
【００５１】
充電制御部２１ａは、電池パックが載置部に載置されたときにコイルＬ２ａでの電磁誘導による電圧の変化を検出して、二次電池３が充電中であるか否かを検出する。そして、二次電池３が充電中であることを検出した場合、発光ダイオードＬＥＤ１を点灯させる。一方、二次電池３が充電中でないことを検出した場合、発光ダイオードＬＥＤ１を消灯する。
【００５２】
コンデンサＣ１ａは平滑コンデンサであり、ダイオードＤ２ａは整流ダイオードであり、コイルＬ２ａは一次側コイルであり、コイルＬ１ａは二次側コイルであり、トランジスタＱ２１ａは充電装置２ａのドライブスイッチ素子であり、充電制御部２１ａはトランジスタＱ２１ａをオン・オフするＰＷＭ信号を生成するドライブパルス信号発生装置である。
【００５３】
トランジスタＱ２１ａが充電制御部２１ａによりドライブされると、コイルＬ２ａに蓄えられたエネルギーが磁性体Ｍを介してコイルＬ１ａに伝達され、ダイオードＤ２ａで整流され、コンデンサＣ１ａで平滑され、二次電池３へと供給され、二次電池３が充電される。
【００５４】
以上説明したように実施の形態２による保護回路１ａによれば、実施の形態１による保護回路と同様の効果を奏することができることに加え、コイルＬ１ａ、ダイオードＤ２ａ、及びコンデンサＣ１ａを備えているため、無接点式の充電装置により供給される電気エネルギーを二次電池３に供給して二次電池３を充電することができる。
【産業上の利用可能性】
【００５５】
本発明の保護回路は、充電装置の異常をユーザに対して速やかに報知することができるため、モバイル機器や電動工具の駆動源として有用である。
【図面の簡単な説明】
【００５６】
【図１】本発明の実施の形態による保護回路が適用された充電システムを示す回路図である。
【図２】保護回路のタイミングチャートを示し、（ａ）は電池電圧を示し、（ｂ）は充電電流を示し、（ｃ）は発光ダイオードの点灯状態を示している。
【図３】無接点式の充電装置を採用したときの充電システムの回路図を示している。
【図４】従来の保護回路が適用された充電システムの回路図を示している。
【図５】図４に示す充電システムのタイミングチャートを示し、（ａ）は電池電圧Ｖａを示し、（ｂ）は充電電流を示している。
【図６】基準電圧源２０３，２０４が不安定であるような粗悪な充電装置、或いは故障した充電装置が適用された充電システムのタイミングチャートを示し、（ａ）は電池電圧Ｖａを示し、（ｂ）は充電電流を示している。
【符号の説明】
【００５７】
１，１ａ  保護回路
２，２ａ  充電装置
３  二次電池
１０  制御部
１１  タイマー
１２  放電制御部
１３  充電制御部
２１  ２１ａ充電制御部
２２  ２２ａ直流電源
Ａ１〜Ａ５  コンパレータ
Ａ２１，Ａ２２  コンパレータ
Ｃ２１，Ｃ１ａ  コンデンサ
Ｄ２１，Ｄ２ａ  ダイオード
ＬＥＤ１  発光ダイオード
Ｅ１〜Ｅ５  基準電圧源
Ｅ２１，Ｅ２２  基準電圧源
Ｌ１，Ｌ１ａ，Ｌ２ａ  コイル
Ｍ  磁性体
Ｑ１，Ｑ２  Ｑ２１，Ｑ２１ａ  トランジスタ
Ｒ１，Ｒ２  抵抗
Ｒｅｆ１  過充電保護電圧
Ｒｅｆ２  充電再開電圧
Ｒｅｆ２１  Ｒｅｆ２２  基準電圧
Ｒｅｆ３  過電流保護電圧
Ｖａ  電池電圧
Ｖｂ  充電電圧
Ｖｃ  電圧降下
【図１】
0004456042.tif 000002
【図２】
0004456042.tif 000003
【図３】
0004456042.tif 000004
【図４】
0004456042.tif 000005
【図５】
0004456042.tif 000006
【図６】
0004456042.tif 000007